【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】
（ａ）２，３‐、２，５‐、２，７‐、２，９‐および２，１１‐ジメチルペンタデカン酸；およびそれらの混合物；
（ｂ）３，４‐、３，８‐、３，１０‐、３，１２‐、３，１４‐、４，５‐、４，７‐、４，９‐、４，１１‐、４，１３‐、５，６‐、５，７‐、５，８‐、５，１０‐、５，１１‐、５，１２‐、５，１３‐、５，１４‐、６，７‐、６，９‐、６，１１‐、６，１３‐、６，１４‐、７，８‐、７，９‐、７，１０‐、７，１１‐、７，１２‐、７，１３‐、７，１４‐、８，９‐、８，１１‐、８，１３‐、８，１４‐、９，１０‐、９，１１‐、９，１２‐、９，１３‐、９，１４‐、１０，１１‐、１０，１３‐、１１，１２‐、１１，１３‐、１１，１４‐、１２，１３‐、１２，１４‐、１３，１４‐ジメチルペンタデカン酸；およびそれらの混合物；
（ｃ）３‐、４‐、５‐、６‐、７‐、８‐、９‐、１０‐、１１‐、１２‐および１３‐メチル‐２‐エチルテトラデカン酸；およびそれらの混合物；
（ｄ）３‐、５‐、６‐、７‐、８‐、９‐および１１‐エチルペンタデカン酸；およびそれらの混合物；
（ｅ）４‐、５‐、６‐、７‐、８‐、９‐、１０‐および１１‐プロピルテトラデカン酸；およびそれらの混合物；
（ｆ）３，４‐、３，５‐、３，６‐、３，７‐、３，８‐、３，９‐、３，１０‐、３，１１‐、３，１２‐、４，５‐、４，６‐、４，７‐、４，８‐、４，９‐、４，１０‐、４，１１‐、４，１２‐、５，６‐、５，７‐、５，８‐、５，９‐、５，１０‐、５，１１‐、５，１２‐、６，７‐、６，８‐、６，９‐、６，１０‐、６，１１‐、６，１２‐、７，８‐、７，９‐、７，１０‐、７，１１‐、７，１２‐、８，９‐、８，１０‐、８，１１‐、８，１２‐、９，１０‐、９，１１‐、９，１２‐、１０，１１‐、１０，１２‐および１１，１２‐ジメチル‐２‐エチルトリデカン酸；およびそれらの混合物；
（ｇ）３‐、４‐、５‐、６‐、７‐、８‐、９‐、１０‐、１１‐および１２‐メチル‐２‐プロピルトリデカン酸；およびそれらの混合物；
（ｈ）２，３，４‐、２，３，５‐、２，３，６‐、２，３，７‐、２，３，８‐、２，３，９‐、２，３，１０‐、２，３，１１‐、２，３，１２‐、２，３，１３‐、２，４，５‐、２，４，７‐、２，４，９‐、２，４，１０‐、２，４，１１‐、２，４，１２‐、２，４，１３‐、２，５，６‐、２，５，７‐、２，５，８‐、２，５，９‐、２，５，１０‐、２，５，１１‐、２，５，１２‐、２，５，１３‐、２，６，７‐、２，６，９‐、２，６，１１‐、２，６，１３‐、２，７，８‐、２，７，９‐、２，７，１０‐、２，７，１１‐、２，７，１２‐、２，７，１３‐、２，８，９‐、２，８，１０‐、２，８，１１‐、２，８，１２‐、２，８，１３‐、２，９，１０‐、２，９，１１‐、２，９，１２‐、２，９，１３‐、２，１０，１１‐、２，１０，１２‐、２，１０，１３‐、２，１１，１２‐、２，１１，１３‐、２，１２，１３‐、３，４，５‐、３，４，６‐、３，４，７‐、３，４，８‐、３，４，９‐、３，４，１０‐、３，４，１１‐、３，４，１２‐、３，４，１３‐、３，５，６‐、３，５，７‐、３，５，８‐、３，５，９‐、３，５，１０‐、３，５，１１‐、３，５，１２‐、３，５，１３‐、３，６，７‐、３，６，８‐、３，６，９‐、３，６，１０‐、３，６，１１‐、３，６，１２‐、３，７，８‐、３，７，１０‐、３，７，１２‐、３，７，１３‐、３，８，９‐、３，８，１０‐、３，８，１１‐、３，８，１２‐、３，８，１３‐、３，９，１０‐、３，９，１１‐、３，９，１２‐、３，９，１３‐、３，１０，１１‐、３，１０，１２‐、３，１０，１３‐、３，１１，１２‐、３，１１，１３‐、３，１２，１３‐、４，５，６‐、４，５，７‐、４，５，８‐、４，５，９‐、４，５，１０‐、４，５，１１‐、４，５，１２‐、４，５，１３‐、４，６，７‐、４，６，９‐、４，６，１０‐、４，６，１１‐、４，６，１３‐、４，７，８‐、４，７，９‐、４，７，１０‐、４，７，１１‐、４，７，１２‐、４，７，１３‐、４，８，９‐、４，８，１１‐、４，８，１３‐、４，９，１０‐、４，９，１１‐、４，９，１２‐、４，９，１３‐、４，１０，１１‐、４，１０，１２‐、４，１０，１３‐、４，１１，１２‐、４，１１，１３‐、４，１２，１３‐、５，６，７‐、５，６，８‐、５，６，９‐、５，６，１０‐、５，６，１１‐、５，６，１２‐、５，６，１３‐、５，７，８‐、５，７，９‐、５，７，１０‐、５，７，１１‐、５，７，１２‐、５，７，１３‐、５，８，９‐、５，８，１０‐、５，８，１１‐、５，８，１２‐、５，８，１３‐、５，９，１０‐、５，９，１１‐、５，９，１２‐、５，１０，１１‐、５，１０，１２‐、５，１０，１３‐、５，１１，１２‐、５，１１，１３‐、５，１２，１３‐、６，７，８‐、６，７，９‐、６，７，１０‐、６，７，１１‐、６，７，１２‐、６，７，１３‐、６，８，９‐、６，８，１０‐、６，８，１１‐、６，８，１２‐、６，８，１３‐、６，９，１０‐、６，９，１１‐、６，９，１２‐、６，９，１３‐、６，１０，１１‐、６，１０，１２‐、６，１０，１３‐、６，１１，１２‐、６，１１，１３‐、６，１２，１３‐、７，８，９‐、７，８，１０‐、７，８，１１‐、７，８，１２‐、７，８，１３‐、７，９，１０‐、７，９，１１‐、７，９，１２‐、７，９，１３‐、７，１０，１１‐、７，１０，１２‐、７，１０，１３‐、７，１１，１２‐、７，１１，１３‐、７，１２，１３‐、８，９，１０‐、８，９，１１‐、８，９，１２‐、８，９，１３‐、８，１０，１１‐、８，１０，１２‐、８，１０，１３‐、８，１１，１２‐、８，１１，１３‐、８，１２，１３‐、９，１０，１１‐、９，１０，１２‐、９，１０，１３‐、９，１１，１２‐、９，１１，１３‐、９，１２，１３‐、１０，１１，１２‐、１０，１１，１３‐、１０，１２，１３‐および１１，１２，１３‐トリメチルテトラデカン酸；およびそれらの混合物；
（ｉ）３‐ヘキシル‐４‐プロピルオクタン酸；３‐ヘキシル‐４‐エチルノナン酸；４‐ペンチル‐５‐エチル、５‐ブチル‐６‐プロピルおよび３‐ヘキシル‐４‐メチルデカン酸；４‐ペンチル‐５‐メチル、５‐ブチル‐６‐エチルおよび６，７‐ジプロピルウンデカン酸；５‐ブチル‐６‐メチル、７‐エチル‐８‐プロピルおよび６‐プロピル‐７‐エチルドデカン酸；７，８‐ジエチル、８‐メチル‐９‐プロピルおよび６‐プロピル‐７‐メチルトリデカン酸；７‐エチル‐８‐メチルおよび８‐メチル‐９‐エチルテトラデカン酸；およびそれらの混合物；および
（ｊ）（ａ）〜（ｉ）の混合物
からなる群より選択される、全鎖長で１７炭素を有する、少くとも１種の分岐カルボン酸の酸、低級アルキルエステル、立体異性体またはそれらの塩からなる組成物。
【請求項２】
組成物が：
少くとも１種の（ａ）の分岐カルボン酸；
少くとも１種の（ｂ）の分岐カルボン酸；および
少くとも１種の（ｈ）の分岐カルボン酸
からなる、請求項１に記載の組成物。
【請求項３】
組成物が：
少くとも１種の（ａ）の分岐カルボン酸；
少くとも１種の（ｃ）の分岐カルボン酸；
少くとも１種の（ｆ）の分岐カルボン酸；および
少くとも１種の（ｇ）の分岐カルボン酸
からなる、請求項１に記載の組成物。
【請求項４】
組成物が：
少くとも１種の（ａ）の分岐カルボン酸；
少くとも１種の（ｂ）の分岐カルボン酸；
少くとも１種の（ｃ）の分岐カルボン酸；
少くとも１種の（ｆ）の分岐カルボン酸；および
少くとも１種の（ｇ）の分岐カルボン酸
からなる、請求項１に記載の組成物。
【請求項５】
組成物が：
少くとも１種の（ａ）の分岐カルボン酸；
少くとも１種の（ｂ）の分岐カルボン酸；
少くとも１種の（ｃ）の分岐カルボン酸；
少くとも１種の（ｆ）の分岐カルボン酸； 
少くとも１種の（ｇ）の分岐カルボン酸；および
少くとも１種の（ｈ）の分岐カルボン酸、
からなる、請求項１に記載の組成物。
【請求項６】
混合物が四級炭素含有分岐カルボン酸またはそれらの塩もしくは誘導体を実質的に含んでいない、分岐カルボン酸の混合物からなる、請求項１に記載の組成物。
【請求項７】
分岐カルボン酸のいずれにおけるいかなるアルキル置換基もメチルである、分岐カルボン酸の混合物からなる、請求項１に記載の組成物。
【請求項８】
（ｉ）請求項１に記載された組成物約０．０５〜約９９．９重量％；および
（ii）慣用的なクリーニング添加物約０．０００１〜約９９．９９重量％
を含んでなる、クリーニング組成物。
【請求項９】
アルデヒド不純物を約０．１％以下で含んでいる、請求項１に記載の組成物。
【請求項１０】
不飽和不純物を約０．１％以下で含んでいる、請求項１に記載の組成物。
【請求項１１】
少くとも６種の分岐カルボン酸を含んでいる、請求項１に記載の組成物。
【請求項１２】
少くとも２０種の分岐カルボン酸を含んでいる、請求項１に記載の組成物。
【請求項１３】
（ｉ）請求項１に記載された組成物約５〜約９９．９％；および
（ii）２‐、３‐、４‐、１０‐、１７‐および１８‐メチルノナデカン酸；２‐、３‐、４‐、５‐、６‐、７‐、８‐および９‐メチルデカン酸；２‐、３‐、４‐、５‐、６‐、７‐、８‐、９‐および１０‐メチルウンデカン酸；２‐、３‐、４‐、５‐、６‐、７‐、８‐、９‐、１０‐および１１‐メチルドデカン酸；２‐、３‐、４‐、５‐、７‐、８‐、９‐、１１‐および１２‐メチルトリデカン酸；２‐、３‐、４‐、５‐、６‐、７‐、８‐、９‐、１０‐、１１‐、１２‐および１３‐メチルテトラデカン酸；２‐、３‐、４‐、６‐、７‐、９‐、１０‐、１１‐、１２‐、１３‐および１４‐メチルペンタデカン酸；２‐、３‐、４‐、５‐、６‐、７‐、８‐、９‐、１０‐、１１‐、１２‐、１３‐、１４‐および１５‐メチルヘキサデカン酸；２‐、３‐、４‐、５‐、６‐、７‐、８‐、９‐、１０‐、１１‐、１２‐、１３‐、１４‐、１５‐および１６‐メチルヘプタデカン酸；２‐、３‐、４‐、５‐、６‐、７‐、８‐、９‐、１０‐、１１‐、１２‐、１３‐、１４‐、１５‐、１６‐および１７‐メチルオクタデカン酸；および上記化合物のいずれかの立体異性体、Ｃ１‐Ｃ３アルキルエステルおよび塩
からなる群より選択される少くとも１種の化合物約５〜約９５％
を含んでなる、組成物。